(57)【要約】【課題】　開口付近の耐衝撃性を向上させた記録テープカートリッジの提供を課題とする。【解決手段】　記録テープＴが巻装された単一のリール１４を回転可能に収容するケース１２と、ケース１２のドライブ装置への装填側角部に形成され、記録テープＴの端部に取り付けられたリーダー部材２２を引き出すための開口２０と、を備えた記録テープカートリッジ１０において、開口２０側のケース１２内面に、ドライブ装置への装填方向と略平行な方向に延伸する突条部４３を複数設ける。【選択図】　　　図５
2004111024.tif 000002
【特許請求の範囲】
【請求項１】
　記録テープが巻装された単一のリールを回転可能に収容するケースと、
　前記ケースのドライブ装置への装填側角部に形成され、前記記録テープの端部に取り付けられたリーダー部材を引き出すための開口と、
　を備えた記録テープカートリッジにおいて、
　前記開口側のケース内面に突条部を設けたことを特徴とする記録テープカートリッジ。
【請求項２】
　前記突条部はドライブ装置への装填方向と略平行な方向に延伸していることを特徴とする請求項１に記載の記録テープカートリッジ。
【請求項３】
　前記突条部は複数本設けられていることを特徴とする請求項１又は２に記載の記録テープカートリッジ。
【発明の詳細な説明】
【技術分野】
【０００１】
　本発明は、主にコンピューター等の記録再生媒体として使用される磁気テープ等の記録テープが巻装された単一のリールをケース内に収容してなる記録テープカートリッジに関する。
【背景技術】
【０００２】
　従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
　また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。したがって、磁気テープカートリッジのリール及びドライブ装置の巻取リールを同期して回転させることにより、磁気テープにデータを記録したり、磁気テープに記録されたデータの再生ができる。
【０００４】
　このような磁気テープカートリッジは、保存時の収容スペースが小さくて済むとともに大容量の情報を記録でき、リーダー部材のタイプ毎に、開口位置及びその開口を開閉するドアのタイプが異なっている。例えば、リーダーピンを使用するタイプの場合は、図１３で示すように、ケース６２の側壁６４にリーダーピン６０引き出し用の開口６８が形成されており、ドライブ装置への装填方向（矢印Ｐ方向）と逆方向にスライド移動するドア６６によって、その開口６８が開閉されるようになっている。
【０００５】
　なお、ケース６２内には、磁気テープＴを巻装したリール７２が回転可能に収容されるようになっており、その磁気テープＴの先端にリーダーピン６０が取り付けられている。そして、ケース６２の開口６８の内側には、不使用時（保管時等）にリーダーピン６０を保持する上下一対のピン保持部７０が設けられている。このピン保持部７０は、リーダーピン６０が出入できるように一部が開放された平面視略半円形状の凹部になっており、その凹部（ピン保持部７０）内に直立状態のリーダーピン６０の両端部６０Ａが挿入される（例えば、特許文献１参照）。
【特許文献１】米国特許第６５０５７８９号明細書
【発明の開示】
【発明が解決しようとする課題】
【０００６】
　しかしながら、このようにピン保持部７０が凹状になっていると、その部分の板厚は薄肉（約１．０ｍｍ程度）となり、強度的に脆弱な部分となってしまう。つまり、ケース６２を開口６８付近から落下させた場合には、その衝撃によってピン保持部７０が撓み変形し、リーダーピン６０が脱落してしまうおそれがある。リーダーピン６０がピン保持部７０から脱落すると、ドライブ装置に設けられた引出手段が、リーダーピン６０を引き出せなくなるという不具合が発生する。
【０００７】
　そこで、本発明は、落下等によって開口付近に衝撃が加えられても、リーダーピンがピン保持部から脱落しないように、開口付近の耐衝撃性を向上させた記録テープカートリッジを得ることを目的とする。
【課題を解決するための手段】
【０００８】
　上記の目的を達成するために、本発明に係る請求項１に記載の記録テープカートリッジは、記録テープが巻装された単一のリールを回転可能に収容するケースと、前記ケースのドライブ装置への装填側角部に形成され、前記記録テープの端部に取り付けられたリーダー部材を引き出すための開口と、を備えた記録テープカートリッジにおいて、前記開口側のケース内面に突条部を設けたことを特徴としている。
【０００９】
　請求項１の発明では、開口側のケース内面に突条部を設けたので、その部分におけるケースの耐衝撃性を向上させることができる。すなわち、記録テープカートリッジ（ケース）は、開口の縁部、特にドライブ装置への装填側縁部から落下させたときが最もダメージが大きく、これにより、ケースが撓み変形し、開口近傍に保持されているリーダー部材が、その保持部から脱落したり、位置ずれしたりする。したがって、開口付近における耐衝撃性を向上させることにより、その部分におけるケースの撓み変形を抑制することができるので、開口近傍に保持されているリーダー部材の保持部からの脱落や位置ずれ等を防止することができる。
【００１０】
　また、請求項２に記載の記録テープカートリッジは、請求項１に記載の記録テープカートリッジにおいて、前記突条部がドライブ装置への装填方向と略平行な方向に延伸していることを特徴としている。
【００１１】
　請求項２の発明では、前記突条部がドライブ装置への装填方向と略平行な方向に延伸している。このため、ドライブ装置への装填方向と略平行な方向に加わる衝撃に対し、その耐衝撃性を向上させることができる。すなわち、記録テープカートリッジ（ケース）をドライブ装置への装填側縁部から落下させたときに、その衝撃力（最大ダメージ力）が向かう方向はドライブ装置への装填方向と略平行な方向となり、これによって、ケースが同方向に撓み変形し、開口近傍に保持されているリーダー部材が、その保持部から脱落したり、位置ずれしたりする。
【００１２】
　したがって、ドライブ装置への装填方向と略平行な方向に所定長さの突条部を延設し、開口付近における同方向に対する耐衝撃性を向上させることにより、その部分におけるケースの撓み変形を抑制することができ、開口近傍に保持されているリーダー部材の保持部からの脱落や位置ずれ等を防止することができる。
【００１３】
　また、請求項３に記載の記録テープカートリッジは、請求項１又は２に記載の記録テープカートリッジにおいて、前記突条部が複数本設けられていることを特徴としている。
【００１４】
　請求項３の発明では、突条部が複数本設けられているので、ドライブ装置への装填方向と略平行な方向等に加わる衝撃に対し、更にその耐衝撃性を向上させることができる。つまり、突条部の本数が増えれば増えるほど、その部分におけるケース強度を増加させることができるので、落下衝撃による開口付近の撓み変形をより一層抑制することができる。
【発明の効果】
【００１５】
　以上、何れにしても本発明によれば、開口付近におけるケースの耐衝撃性を向上させることができるので、ケースの撓み変形を抑制することができる。したがって、リーダー部材の保持部からの脱落や位置ずれを防止することができる。
【発明を実施するための最良の形態】
【００１６】
　以下、本発明の実施の形態に係る記録テープカートリッジ１０を図１乃至図１２に基づいて説明する。まず、最初に、記録テープカートリッジ１０の全体構成を簡単に説明し、次いで本発明に係る要部について詳細に説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１７】
　図１、図２で示すように、記録テープカートリッジ１０は、平面視で略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部が平面視でそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１８】
　また、上ケース１６及び下ケース１８の周壁１６Ａ、１８Ａの切り取られた角部が磁気テープＴを引き出すための開口２０とされ、この開口２０から引き出される磁気テープＴの自由端には、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１９】
　また、ケース１２の開口２０の内側、即ち上ケース１６の天板内面及び下ケース１８の底板内面には、ケース１２内においてリーダーピン２２を位置決め、保持する上下一対のピン保持部２４が設けられている。このピン保持部２４は、図３、図４でも示すように、磁気テープＴの引き出し側が開放された略半円筒形状をしており、直立状態のリーダーピン２２の両端部は、その開放側からピン保持部２４の凹部２４Ａ内に出入可能とされて保持される。
【００２０】
　ピン保持部２４の近傍には、板ばね２５が、前壁１２Ａ（周壁１６Ａ、１８Ａのうち、外面が矢印Ａ方向を向く部分）の内面に設けられたばね保持部２７と溝部２３（図３、図４参照）に、その基部が挿入されて固定配置されるようになっており、この板ばね２５の二股状の先端部がリーダーピン２２の上下両端部にそれぞれ係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００２１】
　また、下ケース１８の中央部には、リール１４の図示しないリールギアを外部に露出するためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００２２】
　この遊動規制壁２８の開口２０近傍の端部には、内部に位置規制用穴が形成された袋部２８Ａが連設されている。また、ケース１２の左前角部の内側においては、長穴である位置規制用穴が形成された袋部２９が遊動規制壁２８とは離間して設けられている。袋部２８Ａ、２９は、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００２３】
　また、下ケース１８の右後部には、各記録テープカートリッジ１０毎に、その各種情報を記憶されたメモリーボードＭが設置されるようになっており、下面側から読み取るドライブ装置と、後壁側から読み取るライブラリー装置（複数の記録テープカートリッジ１０を収容し、ドライブ装置に対して自動的に装填・取出をする装置）での検知が可能となるように、後部内壁１８Ｂが所定角度の傾斜面に形成され、メモリーボードＭが支持突起１９により支持されて、所定角度に傾斜配置されるようになっている。
【００２４】
　また、下ケース１８の左後部には、その記録テープカートリッジ１０への記録可・不可が設定されるライトプロテクト（図示省略）が設けられるようになっており、ライトプロテクトを操作する操作突起（図示省略）が突出する開孔１７が穿設されている。
【００２５】
　また、ケース１２の前壁１２Ａの右端部には、開口２０の前縁部を規定する上下一対の短い傾斜壁部３０が設けられている。この傾斜壁部３０は、開口２０の開放面に沿って屈曲形成され、開口２０閉塞時に、後述する平面視略円弧状ドア５０の先端がその内側に入り込むことによって、塵埃等が進入できる隙間が生じないようにする防塵壁となっている。そして、傾斜壁部３０の左方近傍の前壁１２Ａ内側には、上下一対のビスボス３２が連設されている。
【００２６】
　一方、ケース１２の右壁１２Ｂ（周壁１６Ａ、１８Ａのうち、外面が矢印Ｂ方向を向く部分）の前端部内側には、平面視でドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００２７】
　また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。このように、スリット４０が周壁１６Ａの一部を上側に残して形成されると、ケース１２の剛性を維持することができるので好ましい。特にスリット４０を規定する上側の壁が傾斜壁部３４から一体に連設されていると、更に好ましい。
【００２８】
　また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁にも形成され、例えばドライブ装置の引き込み手段が係合する係合部とされたり、その底面（下向きの面）がドライブ装置内での位置決め用の基準面とされたりするようになっている。
【００２９】
　また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁の上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００３０】
　また、上ケース１６及び下ケース１８において、開口２０近傍から遊動規制壁２８が最も右壁１２Ｂに接近する部位近傍まで（以下、前半という）と、スリット４０の後端近傍から後壁の近傍まで（以下、後半という）、後述するドア５０の凸部５１を内面側及び外面側の両側方から挟み込むように支持する所定高さ（例えば、１．０ｍｍ〜１．５ｍｍ程度）のガイド壁部４２が立設されている。
【００３１】
　このガイド壁部４２は、平面視略円弧状に形成されるとともに、上ケース１６と下ケース１８とではその長さが異なっており、上ケース１６側の方が下ケース１８側よりも後半側が長く形成されている。これは、下ケース１８の後部内壁１８Ｂの右壁１２Ｂ側に、メモリーボードＭを所定角度で傾斜配置しているからである。
【００３２】
　また、ガイド壁部４２の後端部は平面視略円弧状に閉塞されており、ドア５０がそれ以上後方へ移動できないように、上下それぞれ最も後側の凸部５１を規制するようになっている。そして、ガイド壁部４２の前端部はリーダーピン２２の出入時に、そのリーダーピン２２の出入を妨げないような位置（この図示のものは、ピン保持部２４よりも後方側で、開口２０の開口幅の約半分程度）まで延設されている。
【００３３】
　また、傾斜壁部３０の近傍にも、ガイド壁部４２の延長線上に位置するように、後端部が開放されたガイド壁部４１が立設されている。このガイド壁部４１は、その後端部がリーダーピン２２の出入を妨げないように、ピン保持部２４の前端よりも後方側には延設されないようになっており、その間隔（溝幅）は、ガイド壁部４２の間隔（溝幅）よりも若干幅狭になっている。
【００３４】
　つまり、ガイド壁部４２の間隔（溝幅）は、ドア５０の成形上のばらつき（曲率のばらつき）を許容するために、若干幅広に形成されており、ドア５０の凸部５１はある程度のガタつきを持った状態でガイド壁部４２内を摺動する。したがって、少なくともガイド壁部４１の間隔（溝幅）をドア５０の凸部５１の幅（後述する突起を含む幅）と略同じ大きさにして、開口２０の閉塞時、その最前の凸部５１がガイド壁部４１内に嵌入されることにより、ドア５０がガタつかずに保持されるようにしている。
【００３５】
　また、ガイド壁部４１及び前半のガイド壁部４２は、後半のガイド壁部４２よりも若干低くなるように形成されている。すなわち、例えばガイド壁部４１及び前半のガイド壁部４２の高さは約１ｍｍに形成され、後半のガイド壁部４２の高さは約１．５ｍｍに形成されている。これは、開口２０に、リーダーピン２２をチャックして引き出すドライブ装置側の引出手段が入り込めるスペースを確保するためである。したがって、後述するように、ガイド壁部４１及び前半のガイド壁部４２が低くなっている分、その前半部分（少なくとも開口２０を閉塞する部分）のドア５０の板幅（高さ）が、大きく（高く）なるように形成されている。
【００３６】
　更に、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、ピン保持部２４は、内側のガイド壁部４２と一体になるように連設されているが、ピン保持部２４の高さは、一体に連設されたガイド壁部４２の高さと略同等か、それよりも高く形成されていることが望ましい。
【００３７】
　以上のような上ケース１６と下ケース１８は、所定位置に配設されたビスボス（図示省略）と、開口２０の縁部近傍に位置する各ビスボス３２、３６に、下側から図示しないビスがねじ込まれて固定（接合）される構成である。したがって、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈して位置ズレしたりしない構成となる。なお、周壁１６Ａ、１８Ａの付き合せ面（開口２０両側のコーナー部）を溶着によって固定してもよいが、分解性やリサイクル性を考慮すると、ビス止めの方が望ましい。
【００３８】
　そして、この開口２０は遮蔽部材としてのドア５０によって開閉されるようになっている。ドア５０は、ガイド壁部４１と前半のガイド壁部４２を摺動する部分（少なくとも開口２０を閉塞する部分）の板幅（高さ）が開口２０の開口高さと略同一に形成され、それより後側が若干小さく（低く）形成されるとともに、その板長が開口２０の開口幅よりも充分大きく形成されている。そして、所定の円周に沿って移動できるように、板厚方向に湾曲した平面視略円弧状に形成されている。
【００３９】
　また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後部内壁１８Ｂ側に所定角度で傾斜配置されたメモリーボードＭを回避するために、斜めに切り欠かれている。なお、ドア５０の先端部（前端部）内面及び／又は外面は、ガイド壁部４１にスムーズに入り込めるようにテーパー面に形成されることが好ましい。
【００４０】
　また、そのドア５０の上面及び下面には、ガイド壁部４１及びガイド壁部４２のガイド面（互いに対向している内面）と、ガイド壁部４１及びガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４１及びガイド壁部４２の高さと略同等の高さ（例えば、ドア５０の板幅が異なる境界部分より前側は約０．５ｍｍ、後側は約１．５ｍｍ）になるように突設されている。なお、最後側の凸部５１が上下対称でないのは、ドア５０の後下部が斜めに切り欠かれていることによる。
【００４１】
　また、この凸部５１の先端は断面視（側面視）略円弧状になるように形成され、更に、その両側面には平面視略円弧状あるいは平面視略三角形状等の突起（図示省略）が凸部５１の全高に亘って突設されている。したがって、凸部５１がガイド壁部４２間に挿入されて摺動する際には、その凸部５１の略円弧状の先端だけが上ケース１６内面及び下ケース１８内面に接するので線接触となり、かつ、ガイド壁部４２の互いに対向しているガイド面に対しては、突起の略円弧状等の先端だけが接するので、同様に線接触となる。
【００４２】
　これにより、上下の凸部５１と、ガイド壁部４１及びガイド壁部４２間の上ケース１６内面及び下ケース１８内面並びにガイド壁部４１及びガイド壁部４２のガイド面との摺動抵抗（摩擦）を低減することができ、ドア５０を抵抗少なく、スムーズに摺動させることが可能となる構成である。なお、凸部５１が平面視略楕円形状に形成されていると、例えば平面視略円形状に形成されているものよりも耐衝撃性に優れるため、落下等の衝撃によってドア５０に開閉方向以外からの力が加えられても、その凸部５１が折れるような心配はない。
【００４３】
　また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部に最後端側の凸部５１が当接している。
【００４４】
　なお、操作突起５２露出用のスリット４０によってケース１２の内外が連通されるが、このスリット４０はビスボス３６と、ケース１２内の略全高に亘るドア５０とによって常時ほぼ閉塞され、かつ、内壁としての遊動規制壁２８によって、リール１４に巻装された磁気テープＴへの塵埃等の付着が防止されるようになっている。
【００４５】
　また、ドア５０の前端部内面には、開口２０閉塞時において、リーダーピン２２の上端部側面及び下端部側面に当接するストッパー５８が突設されており、落下衝撃等によってリーダーピン２２が、ピン保持部２４から脱落するのを、より一層防止できるようになっている。そして、ドア５０を開口２０閉塞方向へ付勢する付勢部材としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設されている。
【００４６】
　すなわち、ドア５０の後端近傍の内周面には、背面視略「Ｌ」字状のばね保持部５４が上方に向かって一体的に突設され、下ケース１８の凹部４８近傍の内面には、円柱状のばね係止部５５が上方に向かって突設されている。そして、コイルばね５６の両端にはリング状の取付部５６Ａ、５６Ｂがそれぞれ形成されている。したがって、コイルばね５６は、その一方の取付部５６Ｂをばね係止部５５に上方から挿入し、他方の取付部５６Ａをばね保持部５４に上方から挿入することにより、上記した空間内に簡単に取り付けることができる。
【００４７】
　また、上ケース１６には、ドア５０の開閉時に、ばね保持部５４の上端が摺接するリブ５７が、平面視略円弧状に立設されている。このリブ５７は、少なくともドア５０が移動（開放）し始める際には、ばね保持部５４の上端が摺接できるような位置及び長さに配設され、コイルばね５６の付勢力に抗して移動するばね保持部５４を好適にガイドすることにより、ドア５０がより安定して開放されるように（開放時にドア５０がコイルばね５６の付勢力によってブレないように）している。
【００４８】
　また、落下等による衝撃がケース１２に加えられて、コイルばね５６の取付部５６Ａがばね保持部５４を上昇してきても、このリブ５７を設けることによって、そのばね保持部５４から外れないようにできる。なお、ばね係止部５５側も、その上端が上ケース１６の遊動規制壁２８とガイド壁部４２との間に挿入されることになるので、同様に、取付部５６Ｂがばね係止部５５から外れるのを防止することができる。
【００４９】
　以上のような記録テープカートリッジ１０の開口２０側のケース１２内面、即ち上ケース１６の前壁１２Ａ側内面と下ケース１８の前壁１２Ａ側内面には、図１乃至図６で示すように、細長い略角柱状の突条部４３が突設されている。この突条部４３は、図３、図４で示す平面視で、遊動規制壁２８の開口２０側前端部とビスボス３６とを結んだ仮想直線Ｋより前壁１２Ａ側で、かつ開口２０とは左右反対側の遊動規制壁２８とリール１４のエリア（点線で表されている曲線）とで仕切られた線よりも前壁１２Ａ側（ドットで表されている部分）であれば、どこに突設されていてもよいが、開口２０の近傍で、かつ磁気テープＴが通るパス上に、ドライブ装置への装填方向と略平行に複数本（図示のものは２本）設けられるのが好ましい。
【００５０】
　つまり、図５、図６でも示すように、突条部４３の一方（外方側）は、各ピン保持部２４から一体に略後方へ向かって、所定長さ、即ち遊動規制壁２８の延長線上（点線で示されているリール１４のエリア）に略達するところまで（リール１４と干渉しないところまで）延伸され、もう一方（内方側）は、それと平行に、所定間隔Ｄ（Ｄ＝１．０ｍｍ〜２．０ｍｍ、好ましくはＤ＝１．５ｍｍ）を隔てて、ピン保持部２４とばね保持部２７の間の溝部２３から、所定長さ、即ち遊動規制壁２８の延長線上（点線で示されているリール１４のエリア）に略達するところまで（リール１４と干渉しないところまで）延伸されるのが最も好ましい。
【００５１】
　なお、突条部４３の最後端が斜めに切り欠かれてテーパー面４３Ａとされていると、更にリール１４と干渉しない構成になるので好ましい。また、突条部４３の高さＨは、例えばＨ＝０．９ｍｍに形成され、最大でもピン保持部２４と同じ高さになっており、リール１４から繰り出される記録テープＴと干渉することがない高さになっている。そして、突条部４３の幅Ｗは、Ｗ＝０．５ｍｍ〜１．５ｍｍ、好ましくはＷ＝１．０ｍｍに形成されている。
【００５２】
　このような突条部４３を設けると、開口２０の縁部、特にダメージが大きい（リーダーピン２２がピン保持部２４から脱落したり、位置ずれしたりする）前壁１２Ａ側の開口２０縁部からの落下に対する耐衝撃性を向上させることができる。つまり、この突条部４３は、ドライブ装置への装填方向と略平行な方向に延設されているので、同方向に対する剛性を確保できる。したがって、開口２０付近の上ケース１６及び下ケース１８に、ドライブ装置への装填方向と略平行な方向（略前後方向）に衝撃が加わった場合、その衝撃による振動や撓み変形を抑制することができる。よって、ピン保持部２４からのリーダーピン２２の脱落や位置ずれを防止することができる。
【００５３】
　なお、この突条部４３は、本数が増えれば増えるほど、ケース１２の強度を増加させられることは言うまでもない。また、以上のような突条部４３が最も好ましい実施態様であるが、その形状や配設位置、数量等は図１乃至図６で示したものに限定されるものではない。すなわち、図７乃至図９で示すような突条部４５、４７、４９としてもよい。この突条部４５、４７、４９は、上記した突条部４３と同様に直線状であるが、ドライブ装置への装填方向と略平行に設けられているものだけで構成されているわけではない。
【００５４】
　つまり、図７で示す突条部４５は、突条部４３と同様に２本平行に設けられているが、ドライブ装置への装填方向に対して所定角度αを有するように斜めに突設されている。なお、突条部４５の最後端が斜めに切り欠かれてテーパー面４５Ａとされていることは突条部４３と同様である。また、図示しないが、この突条部４５を鋸の刃のようにジグザグ状に屈曲させて設けてもよい。
【００５５】
　また、図８で示す突条部４７は、ピン保持部２４を基点にして３本放射状に突設されている。すなわち、ドライブ装置への装填方向と平行に設けられているものと、それと直交する方向に設けられているもの、及びそれらの間でドライブ装置への装填方向に対して所定角度βを有するように斜めに設けられているものとで構成されている。なお、これらのうち、少なくともリール１４に近接する突条部４７の最後端が斜めに切り欠かれてテーパー面４７Ａとされていることは突条部４３と同様である。
【００５６】
　また、図９で示す突条部４９は、格子状に突設されている。すなわち、ドライブ装置への装填方向と平行に設けられるものと、それと直交する方向に設けられるものとが、一体的に交叉するようにして構成されている。なお、この図９で示す突条部４９は、ドライブ装置への装填方向と平行な方向と、それと直交する方向に３本ずつ設けられて、平面視略四角形状の空間部Ｆが複数形成されているが、空間部Ｆの形状は平面視略四角形状に限定されるものではなく、平面視略三角形状や円形状、楕円形状等にしてもよい。つまり、空間部Ｆの形状が平面視略三角形状や円形状、楕円形状等になるように、突条部４９の格子状を構成してもよい。また、少なくともリール１４に近接する突条部４９の最後端が斜めに切り欠かれてテーパー面４９Ａとされていることは突条部４３と同様である。
【００５７】
　更に、図１０で示すように、曲線形状の突条部５３としてもよい。この突条部５３は突条部４３と同様に２本設けられているが、平面視略「Ｓ」字状となるように円弧状に曲折されて構成されている。なお、突条部５３の最後端が斜めに切り欠かれてテーパー面５３Ａとされていることは突条部４３と同様である。また、この突条部５３の曲線形状は図示の平面視略「Ｓ」字状に限定されるものでなく、任意の曲線形状を採用し得ることは言うまでもない。また、突条部４３、４５、４７、４９と突条部５３とを適宜組み合わせて構成しても構わない。
【００５８】
　ここで、図１乃至図１０までの突条部４３、４５、４７、４９、５３は、どれも上ケース１６や下ケース１８と一体に樹脂で成形されているが、図１１で示すように、別体（例えば金属製）の突条部３３として、上ケース１６や下ケース１８にインサート成形等により一体的に設けるようにしてもよい。この場合の突条部３３は、突条部４３と同様な形状に設けられるのが好ましいが、これに限定されるものではなく、図７乃至図９で示した突条部４５、４７、４９や図１０で示した突条部５３等と同様な形状に設けても構わない。なお、突条部３３の最後端が斜めに切り欠かれてテーパー面３３Ａとされていることは突条部４３と同様である。
【００５９】
　また、以上のような突条部４３、４５、４７、４９、５３、３３において、その断面形状は、四角形状（矩形状）に限定されるものではなく、例えば図１２（Ａ）で示すように、楕円形状（曲面形状）等に形成されてもよいし、それらを組み合わせた形状となるように形成されてもよい。
【００６０】
　また、ピン保持部２４の設置位置が一方のビスボス（図示のものはビスボス３２）に近接した位置になっており、ピン保持部２４が設置されるエリアの板厚が上ケース１６及び下ケース１８とも比較的厚肉（例えば、２ｍｍ）となっている。このような位置及び厚さにすると、記録テープカートリッジ１０の機能上で最も重要な（磁気テープＴを引き出す際に引出手段に正しく係止されるべき）リーダーピン２２の保持（位置決め）位置であるピン保持部２４付近の強度をより一層向上させることができる。したがって、落下等による衝撃で生じる上ケース１６の天板の振動、及び下ケース１８の底板の振動を抑制することができ、リーダーピン２２のピン保持部２４からの脱落や位置ずれを、より一層防止することができる。
【００６１】
　また、このように、開口２０近傍の上ケース１６及び下ケース１８の板厚を厚肉に構成した場合、上記のような突条部４３、４５、４７、４９、５３を突設するのではなく、図１２（Ｂ）で示すように、突条部４３、４５、４７、４９、５３と同様な形状が上ケース１６及び下ケース１８の内面に形成されるように、溝部３５を設けるようにしてもよい。ただし、突条部４３、４５、４７、４９、５３を突設した方が成形後のヒケが少ない分好ましい。
【００６２】
　次に、本実施形態の作用について、突条部４３が突設されている場合を例に採って説明する。上記構成の記録テープカートリッジ１０では、不使用時（保管時や運搬時等）には、開口２０がドア５０によって閉塞されている。具体的には、ドア５０は、コイルばね５６の付勢力によって、常時開口２０閉塞方向へ付勢されており、その先端部（前端部）が傾斜壁部３０近傍のガイド壁部４１に入り込む状態で開口２０を閉塞している。
【００６３】
　一方、磁気テープＴを使用する際には、記録テープカートリッジ１０を矢印Ａ方向に沿ってドライブ装置へ装填する。この装填に伴って、ドライブ装置の開閉手段を構成する開閉部材（図示省略）が、前方へ開放しているスリット４０に進入し、ドア５０の操作突起５２に係合する。この状態で、記録テープカートリッジ１０（ケース１２）を更に押し込むと、この押し込み力によってコイルばね５６の付勢力に抗しつつ、開閉部材が操作突起５２を後方へ移動させる（矢印Ａ方向へ装填されるケース１２に対して後方へ相対移動させる）。
【００６４】
　すると、その操作突起５２が突設されているドア５０は、凸部５１がガイド壁部４２によって案内され、ばね保持部５４がリブ５７によって案内されつつ、その湾曲方向に沿って平面視時計方向に回動する。すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放される。
【００６５】
　こうして開口２０が開放された状態で記録テープカートリッジ１０がドライブ装置内で位置決めされると、ドア５０はそれ以上の回動（略後方への移動）が規制され、開放された開口２０からはドライブ装置の引出手段がケース１２内に進入し、この引出手段がピン保持部２４に位置決め保持されたリーダーピン２２を抜き出す。そして、図示しない巻取リールにリーダーピン２２を収容し、その巻取リールとリール１４とを同期して回転駆動する。すると、磁気テープＴは、巻取リールに巻き取られつつ順次ケース１２から引き出され、所定のテープ経路に沿って配設された記録再生ヘッド等によって情報の記録や再生が行われる。
【００６６】
　一方、記録テープカートリッジ１０をドライブ装置から排出する際には、磁気テープＴがリール１４に巻き戻され、リーダーピン２２がピン保持部２４に保持される。そして、記録テープカートリッジ１０は、位置決め状態が解除され、コイルばね５６の付勢力又は図示しないイジェクト機構によって矢印Ａ方向とは反対方向に移動される。これにより、ドア５０は、その凸部５１がガイド壁部４２に案内されつつ、コイルばね５６の付勢力によって開口２０の閉塞方向へ回動し、ドア５０の先端部（前端部）がガイド壁部４１内に入り込むことにより、開口２０が完全に閉塞され、初期状態に復帰する。
【００６７】
　ここで、開口２０近傍における上ケース１６の内面及び下ケース１８の内面には、所定高さＨ（Ｈ＝０．９ｍｍ）の突条部４３が複数本（図示のものは２本）、略前後方向（ドライブ装置への装填方向と略平行な方向）に、所定長さ延伸されて配設されているので、最もダメージが大きい（リーダーピン２２がピン保持部２４から脱落したり、位置ずれしたりしやすい）前壁１２Ａ側の開口２０縁部からの落下に対する耐衝撃性を向上させることができる。したがって、リーダーピン２２がピン保持部２４から脱落したり、位置ずれしたりすることはない。
【００６８】
　特に、ケース１２がグラスファイバー無しのポリカーボネイトで成形されている場合、落下によるリーダーピン２２外れ（リーダーピン２２のピン保持部２４からの脱落又は位置ずれ）は、例えば、開口２０付近の板厚が１．０ｍｍのときには３５ｃｍ、１．７ｍｍのときには７５ｃｍ、２．３ｍｍのときには１００ｃｍの高さで発生していたが、この突条部４３を設けたことにより、それぞれの高さでリーダーピン２２外れは発生しなくなった。このように、突条部４３は、開口２０付近のケース１２の板厚が薄く形成された場合に有効に作用し、リーダーピン２２のピン保持部２４からの脱落や位置ずれを防止することができる。
【図面の簡単な説明】
【００６９】
【図１】記録テープカートリッジの概略斜視図
【図２】記録テープカートリッジの概略分解斜視図
【図３】下ケースの概略平面図
【図４】上ケースの概略平面図
【図５】開口付近の様子を示す概略斜視図
【図６】開口付近の様子を示す一部拡大概略平面図
【図７】別実施例の開口付近の様子を示す一部拡大概略平面図
【図８】別実施例の開口付近の様子を示す一部拡大概略平面図
【図９】別実施例の開口付近の様子を示す一部拡大概略平面図
【図１０】別実施例の開口付近の様子を示す一部拡大概略平面図
【図１１】別実施例の突条部を備えた開口付近の様子を示す概略斜視図
【図１２】（Ａ）突条部の形状を示す概略断面図（Ｂ）溝部を示す概略断面図
【図１３】従来の記録テープカートリッジの概略分解斜視図
【符号の説明】
【００７０】
　　　１０　記録テープカートリッジ
　　　１２　ケース
　　　１４　リール
　　　２０　開口
　　　２２　リーダーピン
　　　２４　ピン保持部
　　　４３　突条部
【図１】
2004111024.tif 000003
【図２】
2004111024.tif 000004
【図３】
2004111024.tif 000005
【図４】
2004111024.tif 000006
【図５】
2004111024.tif 000007
【図６】
2004111024.tif 000008
【図７】
2004111024.tif 000009
【図８】
2004111024.tif 000010
【図９】
2004111024.tif 000011
【図１０】
2004111024.tif 000012
【図１１】
2004111024.tif 000013
【図１２】
2004111024.tif 000014
【図１３】
2004111024.tif 000015